(57)【要約】【課題】ＰＴＴ通信に代表される、全ての移動局が発言権を獲得していない状態が所定の時間継続すると自動的に終了されるグループ通信を、長時間途切れなく、ユーザに負担をかけずに行うのに適した移動局、移動体通信システム及びプログラムを提供すること。【解決手段】本発明の移動局の制御部は、全ての移動局が発言権を獲得していない状態が所定の時間継続すると自動的に終了されるグループ通信中に、グループ通信を構成する全ての移動局が発言権を獲得していないと推定される状態の継続時間を計時し、閾継続時間と；グループ通信を構成する全ての移動局が発言権を獲得していないと推定される状態の継続時間と；の差が０となった際に、サーバへの発言権獲得要求の送信を行わせる。【選択図】図４
2007306467.tif 000002
【特許請求の範囲】
【請求項１】
複数の移動局とサーバとによって構成され、前記サーバによって発言権を与えられた移動局からの音声が他の移動局に送信され、全ての移動局が発言権を獲得していない状態が所定の時間継続すると自動的に終了されるグループ通信に、参加可能な移動局であって、
前記グループ通信中に、
前記グループ通信を構成する全ての移動局が発言権を獲得していないと推定される状態を検出し、
前記グループ通信を構成する全ての移動局が発言権を獲得していないと推定される状態の継続時間を計時する制御部を備えたことを特徴とする移動局。
【請求項２】
前記サーバへの発言権獲得要求及び発言権解放要求の送信指令を入力する発言権入力部を備え、
前記制御部は、
前記グループ通信中に、
前記発言権入力部の入力を検出し、
前記グループ通信開始後、あるいは、前記発言権入力部によって最新の発言権解放要求の送信指令が入力された後、前記発言権入力部によって発言権獲得要求の送信指令が入力されていない状態を、
前記グループ通信を構成する全ての移動局が発言権を獲得していないと推定される状態とすることを特徴とする請求項１に記載の移動局。
【請求項３】
前記サーバへの発言権獲得要求及び発言権解放要求の送信指令を入力する発言権入力部を備え、
前記制御部は、
前記グループ通信中に、
前記発言権入力部の入力と、音声受信の有無と、を検出し、
前記グループ通信開始後、あるいは、前記発言権入力部によって最新の発言権解放要求の送信指令が入力された後、前記発言権入力部によって発言権獲得要求の送信指令が入力されておらず、かつ、音声受信がない状態を、
前記グループ通信を構成する全ての移動局が発言権を獲得していないと推定される状態とすることを特徴とする請求項１に記載の移動局。
【請求項４】
前記制御部は、
閾継続時間と、前記継続時間と、の差を演算することを特徴とする請求項１から３いずれか１項に記載の移動局。
【請求項５】
前記制御部は、
前記閾継続時間と、前記継続時間と、の差が所定時間以下となった際に、それをユーザに認識させることを特徴とする請求項４に記載の移動局。
【請求項６】
前記制御部は、
前記閾継続時間と、前記継続時間と、の差が０となった際に、前記サーバへの発言権獲得要求の送信を行わせることを特徴とする請求項４又は５に記載の移動局。
【請求項７】
前記制御部は、
前記閾継続時間と、前記継続時間と、の差が０となった際に、前記サーバへの発言権獲得要求の送信を行わせ、
発言権獲得後、前記グループ通信を構成する他の移動局への所定の音声の送信を行わせることを特徴とする請求項４又は５に記載の移動局。
【請求項８】
前記閾継続時間を入力する閾継続時間入力部を備えたことを特徴とする請求項４から７いずれか１項に記載の移動局。
【請求項９】
前記閾継続時間と、前記継続時間と、の差を表示する表示部を備えたことを特徴とする請求項４から８いずれか１項に記載の移動局。
【請求項１０】
前記グループ通信は、ＰＴＴ（Push To Talk）通信であることを特徴とする請求項１から９いずれか１項に記載の移動局。
【請求項１１】
複数の移動局と、サーバと、を有し、
前記サーバによって発言権を与えられた移動局からの音声が他の移動局に送信され、全ての移動局が発言権を獲得していない状態が所定の時間継続すると自動的に終了されるグループ通信を行う移動体通信システムであって、
前記複数の移動局のうちの少なくとも１つは、請求項１から１０いずれか１項に記載の移動局であることを特徴とする移動体通信システム。
【請求項１２】
複数の移動局とサーバとによって構成され、前記サーバによって発言権を与えられた移動局からの音声が他の移動局に送信され、全ての移動局が発言権を獲得していない状態が所定の時間継続すると自動的に終了されるグループ通信に、参加可能な移動局に、通信処理を実行させるプログラムであって、
前記通信処理は、
前記グループ通信中に、
前記グループ通信を構成する全ての移動局が発言権を獲得していないと推定される状態を検出するステップと、
前記グループ通信を構成する全ての移動局が発言権を獲得していないと推定される状態の継続時間を計時するステップと、
を含むことを特徴とするプログラム。
【発明の詳細な説明】
【技術分野】
【０００１】
本発明は、ＰＴＴ（Push To Talk）通信などのグループ通信の際に用いられる移動局、移動体通信システム及びプログラムに関する。
【背景技術】
【０００２】
近年のＣＤＭＡシステムの移動局としては、ＰＴＴ通信可能なものが普及してきている。ＰＴＴ通信とは、ＰＴＴボタンを有し、ＩＰネットワークよりＩＰアドレスが割り当てられた複数の移動局と、ＰＴＴサーバとによって構成されるグループ通信である。
【０００３】
このＰＴＴ通信中においては、移動局は、ＰＴＴ通信を構成する他の移動局への音声の送信を行うためには、発言権を獲得する必要がある。ここで、発言権を獲得するために必要な、ＰＴＴサーバへの発言権獲得要求の送信は、その移動局のＰＴＴボタンの押下に対応して行われる。そして、移動局からの発言権獲得要求を受信したＰＴＴサーバは、他の移動局が発言権を獲得していない場合に、その移動局に発言権を与える。
【０００４】
そして、発言権を獲得した移動局は、ＰＴＴボタンの押下が継続されている間、マイクなどより入力された音声を、ＰＴＴサーバを介して、ＰＴＴ通信を構成する他の移動局宛てにＩＰネットワークを通じて送信する。また、ＰＴＴボタンが解放されると、その移動局は、ＰＴＴサーバへの発言権解放要求の送信を行う。
【０００５】
このＰＴＴ通信に関連する発明は以前より多数なされており、特許文献１〜４にその例を見ることができる。
【０００６】
特許文献１に記載の発明は、ＰｏＣ（Push to talk over Cellular）グループ通信に際して、各セッションの間にやり取りされる通信内容を、発信者識別子などの情報と合わせて記録する記録手段を有するＰｏＣサーバ又はＰｏＣクライアントを備えたＰｏＣシステムに関するものである。これによると、各セッションの間にやり取りされる通信内容を後から参照することができ、また、発信者識別子などの情報が合わせて記録されていることから、検索も容易となる。また、通信内容の記録を必要なときのみ行う構成とすることや、オフレコの内容を含む通話時にも記録可能な構成とすることもできる。
【０００７】
特許文献２に記載の発明は、基地局にＰＴＴ設定操作が受付けられると、ページングチャネルスロットの監視周期を、その受付け時における周期より短い所定周期に切り替えるスロットサイクル切り替え部を備えた移動局に関するものである。これによると、ＰＴＴモードの間、ページングチャネル上でやり取りされるＰＴＴ着信の通知やチャネル割り当てなどのメッセージの送信についての遅延が短くなり、その結果、音声パケットの送信の遅延が抑えられる。
【０００８】
特許文献３に記載の発明は、ＰＴＴサーバが特定のＰＴＴクライアントにマスター権限を与え、マスター権限を有するＰＴＴクライアントは発言権管理方式を選択でき、ＰＴＴサーバは選択された発言権管理方式に基づいて発言権を管理するＰＴＴサービスシステムの発言権管理方法に関するものである。これによると、発言権を柔軟に管理することができ、例えば、１のＰＴＴクライアントによる発言権の独占や、迷惑行為を行う人のセッションからの除外などを容易に行うことができる。
【０００９】
特許文献４に記載の発明は、移動局のプレゼンス情報及び／又は移動局のロケーション情報に基づいて動的にＰｏＣグループ通信のメンバー選択を行う、動的なグループアドレス作成のための方法に関するものである。これによると、ＰｏＣグループ通信セッションのための動的なグループ作成が容易となり、例えば、共通の趣味を持つ人によるＰｏＣグループ通信セッションを容易に実現することができる。
【特許文献１】特開２００５−２３４６６６号公報
【特許文献２】特開２００５−０５７３９４号公報
【特許文献３】特開２００６−０４２３５７号公報
【特許文献４】特開２００５−３１２０４５号公報
【発明の開示】
【発明が解決しようとする課題】
【００１０】
ところで、特許文献１〜４に記載の技術を用いたＰＴＴ通信においては、ＰＴＴ通信を構成する全ての移動局が発言権を獲得していない状態が所定の時間継続すると、ＰＴＴサーバはパケット接続を解放し、そのＰＴＴ通信は自動的に終了される。そして、一度ＰＴＴ通信が終了すると、もう一度同じメンバーでＰＴＴ通信を行うためには、ユーザのうちの一人が他のユーザに対して発信（招待）などの操作を行い、他のユーザは応答などの操作を行う必要がある。なお、本明細書においては、ユーザとは移動局を操作する人のことを指すものとする。
【００１１】
そのため、ＰＴＴ通信を長時間途切れなく行いたい場合には、ＰＴＴ通信を構成する全ての移動局が発言権を獲得していない状態を監視する必要があり、ユーザの負担が増大する。したがって、近年において普及しつつある、時間や回数に関わらず、一定金額でＰＴＴ通信を行うことができるサービスを有効に利用することは困難であった。
【００１２】
上記の問題点を鑑みて、本発明においては、ＰＴＴ通信に代表される、全ての移動局が発言権を獲得していない状態が所定の時間継続すると自動的に終了されるグループ通信を、長時間途切れなく、ユーザに負担をかけずに行うのに適した移動局、移動体通信システム及びプログラムを提供することを目的とする。
【課題を解決するための手段】
【００１３】
本発明においては、移動局は、複数の移動局とサーバとによって構成され、前記サーバによって発言権を与えられた移動局からの音声が他の移動局に送信され、全ての移動局が発言権を獲得していない状態が所定の時間継続すると自動的に終了されるグループ通信に、参加可能な移動局であって、前記グループ通信中に、前記グループ通信を構成する全ての移動局が発言権を獲得していないと推定される状態を検出し、前記グループ通信を構成する全ての移動局が発言権を獲得していないと推定される状態の継続時間を計時する制御部を備えたことを特徴とする。
【００１４】
本発明においては、上記構成の移動局において、前記サーバへの発言権獲得要求及び発言権解放要求の送信指令を入力する発言権入力部を備え、前記制御部は、前記グループ通信中に、前記発言権入力部の入力を検出し、前記グループ通信開始後、あるいは、前記発言権入力部によって最新の発言権解放要求の送信指令が入力された後、前記発言権入力部によって発言権獲得要求の送信指令が入力されていない状態を、前記グループ通信を構成する全ての移動局が発言権を獲得していないと推定される状態とすることとしてもよい。
【００１５】
本発明においては、上記構成の移動局において、前記サーバへの発言権獲得要求及び発言権解放要求の送信指令を入力する発言権入力部を備え、前記制御部は、前記グループ通信中に、前記発言権入力部の入力と、音声受信の有無と、を検出し、前記グループ通信開始後、あるいは、前記発言権入力部によって最新の発言権解放要求の送信指令が入力された後、前記発言権入力部によって発言権獲得要求の送信指令が入力されておらず、かつ、音声受信がない状態を、前記グループ通信を構成する全ての移動局が発言権を獲得していないと推定される状態とすることが望ましい。
【００１６】
本発明においては、上記構成の移動局において、前記制御部は、閾継続時間と、前記継続時間と、の差を演算することが望ましい。
【００１７】
本発明においては、上記構成の移動局において、前記制御部は、前記閾継続時間と、前記継続時間と、の差が所定時間以下となった際に、それをユーザに認識させることとしてもよい。
【００１８】
本発明においては、上記構成の移動局において、前記制御部は、前記閾継続時間と、前記継続時間と、の差が０となった際に、前記サーバへの発言権獲得要求の送信を行わせることが望ましい。
【００１９】
本発明においては、上記構成の移動局において、前記制御部は、前記閾継続時間と、前記継続時間と、の差が０となった際に、前記サーバへの発言権獲得要求の送信を行わせ、発言権獲得後、前記グループ通信を構成する他の移動局への所定の音声の送信を行わせることとしてもよい。
【００２０】
本発明においては、上記構成の移動局において、前記閾継続時間を入力する閾継続時間入力部を備えることが望ましい。
【００２１】
本発明においては、上記構成の移動局において、前記閾継続時間と、前記継続時間と、の差を表示する表示部を備えることが望ましい。
【００２２】
本発明においては、上記構成の移動局において、前記グループ通信は、ＰＴＴ（Push To Talk）通信であることとしてもよい。
【００２３】
本発明においては、移動体通信システムは、複数の移動局と、サーバと、を有し、前記サーバによって発言権を与えられた移動局からの音声が他の移動局に送信され、全ての移動局が発言権を獲得していない状態が所定の時間継続すると自動的に終了されるグループ通信を行う移動体通信システムであって、前記複数の移動局のうちの少なくとも１つは、上記構成の移動局であることを特徴とする。
【００２４】
本発明においては、プログラムは、複数の移動局とサーバとによって構成され、前記サーバによって発言権を与えられた移動局からの音声が他の移動局に送信され、全ての移動局が発言権を獲得していない状態が所定の時間継続すると自動的に終了されるグループ通信に、参加可能な移動局に、通信処理を実行させるプログラムであって、前記通信処理は、前記グループ通信中に、前記グループ通信を構成する全ての移動局が発言権を獲得していないと推定される状態を検出するステップと、前記グループ通信を構成する全ての移動局が発言権を獲得していないと推定される状態の継続時間を計時するステップと、を含むことを特徴とする。
【発明の効果】
【００２５】
本発明の移動局の制御部は、グループ通信中に、グループ通信を構成する全ての移動局が発言権を獲得していないと推定される状態を検出し、グループ通信を構成する全ての移動局が発言権を獲得していないと推定される状態の継続時間を計時する。したがって、ＰＴＴ通信に代表される、全ての移動局が発言権を獲得していない状態が所定の時間継続すると自動的に終了されるグループ通信において、グループ通信の自動終了防止に有用な、グループ通信を構成する全ての移動局が発言権を獲得していないと推定される状態の継続時間情報を利用できることとなる。
【００２６】
また、本発明の移動局の制御部は、閾継続時間と；グループ通信を構成する全ての移動局が発言権を獲得していないと推定される状態の継続時間と；の差を演算する。したがって、閾継続時間と；グループ通信を構成する全ての移動局が発言権を獲得していないと推定される状態の継続時間と；を比較できることとなり、この比較情報を用いて種々の判断を行うことができる。例えば、閾継続時間を、グループ通信が自動的に終了されるまでの、全ての移動局が発言権を獲得していない状態の継続時間とすると、閾継続時間と；グループ通信を構成する全ての移動局が発言権を獲得していないと推定される状態の継続時間と；の比較情報は、グループ通信の自動終了防止に有用となる。
【００２７】
そして、本発明によると、ＰＴＴ通信に代表される、全ての移動局が発言権を獲得していない状態が所定の時間継続すると自動的に終了されるグループ通信を、長時間途切れなく、ユーザに負担をかけずに行うのに適した移動局、移動体通信システム及びプログラムが提供される。
【発明を実施するための最良の形態】
【００２８】
本発明の実施形態について、図面を用いて説明すれば以下の通りである。
【００２９】
（移動局１の構成について）
図１は、本発明の実施形態に係る移動局１の概略の構成を示すブロック図である。移動局１は、アンテナ１０と、無線部２０と、音声処理部３０と、スピーカ４０と、マイク５０と、ＰＴＴボタン６０（発言権入力部）と、ディスプレイ７０（表示部）と、キー操作部８０（閾継続時間入力部）と、制御部９０と、を有している。そして、制御部９０は、Ｆｌｏｏｒ権制御部９１と、ＳＩＰ（Session Initiation Protocol）制御部９２と、タイマ部９３と、を有している。
【００３０】
移動局１を用いて、音声の受信を行う際の処理の流れは以下の通りである。まず、アンテナ１０によって受信された受信信号は、高周波回路、変復調回路、信号処理回路を含む無線部２０に送られ、無線部２０によって各種処理が施される。そして、無線部２０によって各種処理が施された信号は、音声処理部３０に送られ、音声処理部３０によってアナログ信号に変換される。そして、音声処理部３０によってアナログ信号に変換された信号は、スピーカ４０に送られ、スピーカ４０によって出力される。
【００３１】
移動局１を用いて、音声の送信を行う際の処理の流れは以下の通りである。まず、マイク５０に入力された音声信号は、音声処理部３０に送られ、音声処理部３０によってデジタル信号に変換される。そして、音声処理部３０によってデジタル信号に変換された信号は、高周波回路、変復調回路、信号処理回路を含む無線部２０に送られ、無線部２０によって各種処理が施される。そして、無線部２０によって各種処理が施された信号は、アンテナ１０に送られ、アンテナ１０より送信される。
【００３２】
ＰＴＴボタン６０は、ＰＴＴ通信中に、発言権獲得や音声送信を望む移動局１のユーザによって押下されるボタンである。なお、ＰＴＴボタン６０の詳細については後述する。
【００３３】
ディスプレイ７０は、制御部９０からの動作指令に応じて、各種の映像を表示する表示部である。つまり、ディスプレイ７０には、着信履歴、アドレス帳、スケジュール帳、時計など、移動局１が有する機能に応じた各種の映像が表示される。
【００３４】
キー操作部８０は、通話を行いたい相手の電話番号の入力などに用いられる数字キーや、ＰＴＴ通信を終了するために用いられる終話キーを始め、ユーザによって押下される各種の入力キーを有し、ユーザによる入力キーの押下に応じた電気信号を、制御部９０に伝達する。
【００３５】
制御部９０は、無線部２０と、音声処理部３０と、ＰＴＴボタン６０と、ディスプレイ７０と、キー操作部８０と、に接続され、これらに対して制御指示信号を出力することで、各種動作を実行させている。また、制御部９０は、Ｆｌｏｏｒ権制御部９１と、ＳＩＰ制御部９２と、タイマ部９３と、を有している。なお、Ｆｌｏｏｒ権制御部９１と、ＳＩＰ制御部９２と、タイマ部９３と、の詳細については後述する。
【００３６】
（ＰＴＴ通信の流れについて）
次に、ＰＴＴ通信の流れについて説明する。図２は、ＰＴＴ通信の流れを示すシーケンス図である。移動局１のユーザは、ＰＴＴ通信に参加するように他の移動局に要請し、ＰＴＴ通信を開始するために、キー操作部８０を用いて、他の移動局の入力操作（電話番号入力やアドレス帳による選択などによって行われる）及びＰＴＴ通信の開始操作を行う。すると、他の移動局の入力操作及びＰＴＴ通信の開始操作に応じたキー操作部８０からの電気信号が制御部９０へ伝達される。
【００３７】
すると、ＳＩＰ制御部９２は、無線部２０及びアンテナ１０に、ＰＴＴサーバへのＩＮＶＩＴＥ信号の送信を行わせる（Ｓ２０１）。なお、ここで、ＩＮＶＩＴＥ信号とは、ＰＴＴ通信に参加するように他の移動局に要請し、ＰＴＴ通信を開始するためのＳＩＰメッセージである。
【００３８】
ＩＮＶＩＴＥ信号を受信したＰＴＴサーバは、移動局１への、１００  Ｔｒｙｉｎｇ信号及び１８０  Ｒｉｎｇｉｎｇ信号の送信を行う（Ｓ２０２、Ｓ２０３）。なお、ここで、１００  Ｔｒｙｉｎｇ信号とは、移動局１からのＩＮＶＩＴＥ信号を受信し、処理中であることを示すＳＩＰメッセージであり、１８０  Ｒｉｎｇｉｎｇ信号とは、他の移動局を呼び出し中であることを示すＳＩＰメッセージである。
【００３９】
そして、他の移動局が応答すると、ＰＴＴサーバは、移動局１への、２００  ＯＫ信号の送信を行う（Ｓ２０４）。移動局１が２００  ＯＫ信号を受信すると、ＳＩＰ制御部９２は、無線部２０及びアンテナ１０に、ＰＴＴサーバへのＡＣＫ信号の送信を行わせ（Ｓ２０５）、ＰＴＴ通信が開始される。なお、ここで、２００  ＯＫ信号とは、他の移動局が応答したことを示すＳＩＰメッセージであり、ＡＣＫ信号とは、ＰＴＴサーバからの２００  ＯＫ信号に対する確認を意味するＳＩＰメッセージである。
【００４０】
次に、ＰＴＴ通信中に、移動局１から、他の移動局に音声を送信する際の流れについて説明する。移動局１のユーザは、他の移動局に音声を送信したいときには、ＰＴＴボタン６０を押下する（Ｓ２０６）。すると、ＰＴＴボタン６０の押下による、ＰＴＴボタン６０からの電気信号が、制御部９０へ伝達される。
【００４１】
すると、Ｆｌｏｏｒ権制御部９１は、無線部２０及びアンテナ１０に、ＰＴＴサーバへのＲＴＣＰ（Floor Request）信号の送信を行わせる（Ｓ２０７）。なお、ここで、ＲＴＣＰ（Floor Request）信号とは、移動局１の発言権獲得要求のためのＲＴＣＰ（Real-time Transport protocol Control Protocol）メッセージである。
【００４２】
そして、その時点で他の移動局が発言権を獲得していなければ、ＰＴＴサーバは、移動局１への、ＲＴＣＰ（Floor Taken）信号の送信を行い（Ｓ２０８）、これによって移動局１が発言権を獲得する。なお、ここで、ＲＴＣＰ（Floor Taken）信号とは、移動局１が発言権を獲得したことを伝えるＲＴＣＰメッセージである。そして、ＰＴＴボタン６０押下継続中は、ユーザがマイク５０に音声を入力することによって、その音声がＰＴＴサーバを介して他の移動局に送信される（Ｓ２０９）。
【００４３】
ここで、ＰＴＴボタン６０が解放されると（Ｓ２１０）、Ｆｌｏｏｒ権制御部９１は、無線部２０及びアンテナ１０に、ＰＴＴサーバへのＲＴＣＰ（Floor Release）信号の送信を行わせる（Ｓ２１１）。なお、ここで、ＲＴＣＰ（Floor Release）信号とは、移動局１の発言権解放要求のためのＲＴＣＰメッセージである。
【００４４】
ＲＴＣＰ（Floor Release）信号を受信したＰＴＴサーバは、移動局１への、ＲＴＣＰ（Floor IDLE）信号の送信を行う（Ｓ２１２）。なお、ここで、ＲＴＣＰ（Floor IDLE）信号とは、移動局１の発言権が解放されたことを示すＲＴＣＰメッセージである。
【００４５】
そして、ＰＴＴ通信を構成する全ての移動局が発言権を獲得していない状態においては、ＰＴＴサーバは、無線監視タイマを作動させる（Ｓ２１３）。そして、ＰＴＴ通信を構成する全ての移動局が発言権を獲得していない状態がある所定時間継続すると、タイムアウトとなり（Ｓ２１４）、ＰＴＴサーバは、移動局１への、ＢＹＥ信号の送信を行う（Ｓ２１５）。移動局１がＢＹＥ信号を受信すると、ＳＩＰ制御部９２は、無線部２０及びアンテナ１０に、ＰＴＴサーバへの２００  ＯＫ信号の送信を行わせ（Ｓ２１６）、ＰＴＴ通信は終了される。なお、ここで、ＢＹＥ信号とは、ＰＴＴ通信終了を示すＳＩＰメッセージであり、２００  ＯＫ信号とは、ＰＴＴサーバからのＢＹＥ信号に対する確認を意味するＳＩＰメッセージである。
【００４６】
以上において、図２を用いて説明したように、ＰＴＴ通信においては、ＰＴＴ通信を構成する全ての移動局が発言権を獲得していない状態が所定の時間継続すると、ＰＴＴサーバはパケット接続を解放し、そのＰＴＴ通信は自動的に終了される。そして、一度ＰＴＴ通信が終了すると、もう一度同じメンバーでＰＴＴ通信を行うためには、ユーザのうちの一人が他の移動局に対して発信（招待）などの操作を行い、他のユーザは応答などの操作を行う必要がある。
【００４７】
そのため、ＰＴＴ通信を長時間途切れなく行いたい場合には、ＰＴＴ通信を構成する全ての移動局が発言権を獲得していない状態を監視する必要があり、ユーザの負担が増大する。したがって、近年において普及しつつある、時間や回数に関わらず、一定金額でＰＴＴ通信を行うことができるサービスを有効に利用することは困難であった。そこで、この問題を解決する本発明の移動局１の第１の実施形態及び第２の実施形態について、以下で説明する。
【００４８】
（第１の実施形態）
以下で、本発明の移動局１の第１の実施形態について説明する。まず、本実施形態に係る移動局１のタイマ部９３について説明する。タイマ部９３は、ユーザがキー操作部８０によって入力した閾継続時間から開始して、カウントダウンを行うタイマである。つまり、タイマ部９３は、カウントを開始すると、ユーザがキー操作部８０によって入力した閾継続時間から時間の経過とともにカウンターが減少していき、カウンターが０となるとタイムアウトとなる構成である。ここで、閾継続時間は、ユーザが任意に定めることができるが、ＰＴＴ通信が自動的に終了されるまでの、全ての移動局が発言権を獲得していない状態の継続時間よりやや短い時間とすることが望ましい。また、制御部９０は、このカウントダウンの様子（カウンター）をディスプレイ７０に表示させる。
【００４９】
次に、本実施形態に係る移動局１の制御部９０の制御手順について説明する。図３は、本実施形態に係る移動局１の制御部９０の制御手順を示すフローチャートである。本実施形態においては、制御部９０は、ＰＴＴ通信が開始されると（Ｓ３０１）、タイマ部９３のカウントを開始させる（Ｓ３０２）。次に、制御部９０は、タイマ部９３のタイムアウトの有無を検出する（Ｓ３０３）。ここで、タイマ部９３がタイムアウトしていない場合には、制御部９０は、次に、ＰＴＴボタン６０の押下の有無を検出する（Ｓ３０４）。
【００５０】
ここで、ＰＴＴボタン６０が押下されない場合には、制御部９０は、次に、終話キーの押下の有無を検出する（Ｓ３０５）。ここで、終話キーの押下がなされない場合には、Ｓ３０３に戻る。
【００５１】
一方、Ｓ３０３において、タイマ部９３がタイムアウトしている場合、あるいは、Ｓ３０４において、ＰＴＴボタン６０が押下された場合には、Ｆｌｏｏｒ権制御部９１は、次に、無線部２０及びアンテナ１０に、ＰＴＴサーバへのＲＴＣＰ（Floor Request）信号の送信を行わせる（Ｓ３０６）。そして、制御部９０は、次に、ＰＴＴボタン６０の解放を監視する（Ｓ３０７）。
【００５２】
ここで、ＰＴＴボタン６０が解放された場合には、Ｆｌｏｏｒ権制御部９１は、次に、無線部２０及びアンテナ１０に、ＰＴＴサーバへのＲＴＣＰ（Floor Release）信号の送信を行わせる（Ｓ３０８）。そして、制御部９０は、次に、タイマ部９３のカウンターをリセットし（カウンターを閾継続時間に戻し）（Ｓ３０９）、カウントを開始させ（Ｓ３１０）、Ｓ３０３に戻る。
【００５３】
また、Ｓ３０５において、終話キーが押下された場合には、制御部９０は、次に、終話処理を行い（Ｓ３１１）、ＰＴＴ通信を終了させる（Ｓ３１２）。
【００５４】
上記構成の移動局１においては、制御部９０は、ＰＴＴ通信中に、ＰＴＴボタン６０の解放を検出し、閾継続時間と；ＰＴＴボタン６０が解放された状態の継続時間と；の差が０となった際に、ＰＴＴサーバへのＲＴＣＰ（Floor Request）信号の送信を行わせる。
【００５５】
ここで、ＰＴＴボタン６０が解放された状態は、ＰＴＴ通信開始後、あるいは、ＰＴＴボタン６０によって最新の発言権解放要求の送信指令が入力された後（ＰＴＴボタン６０の解放動作が行われた後）、ＰＴＴボタン６０によって発言権獲得要求の送信指令が入力されていない状態（ＰＴＴボタン６０の押下が行われていない状態）であり、移動局１が発言権を獲得していないと推定される状態である。したがって、他の全ての移動局が発言権を獲得していないと仮定した場合、ＰＴＴボタン６０が解放された状態は、ＰＴＴ通信を構成する全ての移動局が発言権を獲得していないと推定される状態となる。
【００５６】
したがって、例えば、閾継続時間を、ＰＴＴ通信が自動的に終了されるまでの、全ての移動局が発言権を獲得していない状態の継続時間よりやや短い時間とすると、制御部９０は、ＰＴＴ通信を構成する全ての移動局が発言権を獲得していないと推定される状態の継続時間が、ＰＴＴ通信が自動的に終了されるまでの、全ての移動局が発言権を獲得していない状態の継続時間に達する直前に、ＰＴＴサーバへのＲＴＣＰ（Floor Request）信号の送信を行わせることとなるので、ユーザに負担を掛けずにＰＴＴ通信の自動終了防止を行うことができる。
【００５７】
また、上記構成の移動局１は、閾継続時間を入力するキー操作部８０を備えている。したがって、ＰＴＴ通信が自動的に終了されるまでの、全ての移動局が発言権を獲得していない状態の継続時間が携帯電話のキャリアなどによって設定されている場合でも、その設定を参照した上でユーザが自由に閾継続時間を決定することができる。
【００５８】
また、上記構成の移動局１においては、制御部９０は、閾継続時間と；ＰＴＴボタン６０が解放された状態の継続時間と；の差である、カウントダウンの様子（カウンター）をディスプレイ７０に表示させる。したがって、例えば、閾継続時間を、ＰＴＴ通信が自動的に終了されるまでの、全ての移動局が発言権を獲得していない状態の継続時間よりやや短い時間とすると、ＰＴＴ通信が自動的に終了される直前までの推定時間をユーザが視認できることとなり、ＰＴＴ通信の自動終了防止に有用となる。
【００５９】
また、制御部９０は、閾継続時間と；ＰＴＴボタン６０が解放された状態の継続時間と；の差が０となった際に、ＰＴＴサーバへのＲＴＣＰ（Floor Request）信号の送信を行わせ（図３のＳ３０６）、ＰＴＴサーバからのＲＴＣＰ（Floor Taken）信号を受信した後（不図示）、ＰＴＴサーバへのＲＴＣＰ（Floor Release）信号の送信を行わせる（図３のＳ３０８）前に、他の移動局への（ＰＴＴサーバを介して）、制御部９０内の不図示のメモリに記憶された音声データの送信を行わせることとしてもよい。
【００６０】
これによると、ユーザに負担を掛けずにＰＴＴ通信の自動終了防止を行うことができるのみならず、更に、ＰＴＴ通信を構成する他の移動局に、制御部９０内の不図示のメモリに記憶された音声データの送信によって通話を促すことなどができる。
【００６１】
また、制御部９０は、閾継続時間と；ＰＴＴボタン６０が解放された状態の継続時間と；の差が所定時間以下となった際に、それをユーザに認識させることとしてもよい。具体的には、制御部９０は、閾継続時間と；ＰＴＴボタン６０が解放された状態の継続時間と；の差が所定時間以下となった際に、音声処理部３０及びスピーカ４０に、制御部９０内の不図示のメモリに記憶された音声データの出力を行わせることなどが考えられる。
【００６２】
また、閾継続時間と；ＰＴＴボタン６０が解放された状態の継続時間と；の差が所定時間以下となったことをユーザに認識させる別の手段として、制御部９０は、閾継続時間と；ＰＴＴボタン６０が解放された状態の継続時間と；の差が所定時間以下となった際に、ディスプレイ７０の映像を点滅させたり、ディスプレイ７０に警告表示を行わせたり、移動局１を振動させたりすることなども考えられる。
【００６３】
これによると、例えば、閾継続時間を、ＰＴＴ通信が自動的に終了されるまでの、全ての移動局が発言権を獲得していない状態の継続時間よりやや短い時間とすると、ＰＴＴ通信を構成する全ての移動局が発言権を獲得していないと推定される状態の継続時間が、ＰＴＴ通信が自動的に終了されるまでの、全ての移動局が発言権を獲得していない状態の継続時間に迫っていることをユーザに認識させることができる。
【００６４】
（第２の実施形態）
以下で、本発明の移動局１の第２の実施形態について説明する。なお、本実施形態に係る移動局１のタイマ部９３については、第１の実施形態と同様であるので説明を省略する。まず、本実施形態に係る移動局１の制御部９０の制御手順について説明する。図４は、本実施形態に係る移動局１の制御部９０の制御手順を示すフローチャートである。本実施形態においては、制御部９０は、ＰＴＴ通信が開始されると（Ｓ４０１）、タイマ部９３のカウントを開始させる（Ｓ４０２）。次に、制御部９０は、タイマ部９３のタイムアウトの有無を検出する（Ｓ４０３）。ここで、タイマ部９３がタイムアウトしていない場合には、制御部９０は、次に、ＰＴＴボタン６０の押下の有無を検出する（Ｓ４０４）。
【００６５】
ここで、ＰＴＴボタン６０が押下されない場合には、制御部９０は、次に、終話キーの押下の有無を検出する（Ｓ４０５）。ここで、終話キーの押下がなされない場合には、制御部９０は、次に、音声受信の有無を監視する（Ｓ４０６）。ここで、音声受信がなされない場合には、Ｓ４０３に戻る。
【００６６】
一方、Ｓ４０３において、タイマ部９３がタイムアウトしている場合、あるいは、Ｓ４０４において、ＰＴＴボタン６０が押下された場合には、Ｆｌｏｏｒ権制御部９１は、次に、無線部２０及びアンテナ１０に、ＰＴＴサーバへのＲＴＣＰ（Floor Request）信号の送信を行わせる（Ｓ４０７）。そして、制御部９０は、次に、ＰＴＴボタン６０の解放を監視する（Ｓ４０８）。
【００６７】
ここで、ＰＴＴボタン６０が解放された場合には、Ｆｌｏｏｒ権制御部９１は、次に、無線部２０及びアンテナ１０に、ＰＴＴサーバへのＲＴＣＰ（Floor Release）信号の送信を行わせる（Ｓ４０９）。そして、制御部９０は、次に、タイマ部９３のカウンターをリセットし（カウンターを閾継続時間に戻し）（Ｓ４１０）、カウントを開始させ（Ｓ４１１）、Ｓ４０３に戻る。
【００６８】
また、Ｓ４０５において、終話キーが押下された場合には、制御部９０は、次に、終話処理を行い（Ｓ４１２）、ＰＴＴ通信を終了させる（Ｓ４１３）。
【００６９】
また、Ｓ４０６において、音声受信がなされた場合には、制御部９０は、次に、タイマ部９３のカウンターをリセットし（カウンターを閾継続時間に戻し）（Ｓ４１０）、カウントを開始させ（Ｓ４１１）、Ｓ４０３に戻る。
【００７０】
上記構成の移動局１においては、制御部９０は、ＰＴＴ通信中に、ＰＴＴボタン６０の解放と、音声受信の有無とを検出し、閾継続時間と；ＰＴＴボタン６０が解放され、かつ音声受信がない状態の継続時間と；の差が０となった際に、ＰＴＴサーバへのＲＴＣＰ（Floor Request）信号の送信を行わせる。
【００７１】
ここで、ＰＴＴボタン６０が解放された状態は、ＰＴＴ通信開始後、あるいは、ＰＴＴボタン６０によって最新の発言権解放要求の送信指令が入力された後（ＰＴＴボタン６０の解放動作が行われた後）、ＰＴＴボタン６０によって発言権獲得要求の送信指令が入力されていない状態（ＰＴＴボタン６０の押下が行われていない状態）であり、移動局１が発言権を獲得していないと推定される状態である。また、音声受信がない状態は、他の全ての移動局が発言権を獲得していないと推定される状態である。したがって、ＰＴＴボタン６０が解放され、かつ音声受信がない状態は、ＰＴＴ通信を構成する全ての移動局が発言権を獲得していないと推定される状態となる。
【００７２】
したがって、例えば、閾継続時間を、ＰＴＴ通信が自動的に終了されるまでの、全ての移動局が発言権を獲得していない状態の継続時間よりやや短い時間とすると、制御部９０は、ＰＴＴ通信を構成する全ての移動局が発言権を獲得していないと推定される状態の継続時間が、ＰＴＴ通信が自動的に終了されるまでの、全ての移動局が発言権を獲得していない状態の継続時間に達する直前に、ＰＴＴサーバへのＲＴＣＰ（Floor Request）信号の送信を行わせることとなるので、ユーザに負担を掛けずにＰＴＴ通信の自動終了防止を行うことができる。
【００７３】
また、上記構成の移動局１は、閾継続時間を入力するキー操作部８０を備えている。したがって、ＰＴＴ通信が自動的に終了されるまでの、全ての移動局が発言権を獲得していない状態の継続時間が携帯電話のキャリアなどによって設定されている場合でも、その設定を参照した上でユーザが自由に閾継続時間を決定することができる。
【００７４】
また、上記構成の移動局１においては、制御部９０は、閾継続時間と；ＰＴＴボタン６０が解放され、かつ音声受信がない状態の継続時間と；の差である、カウントダウンの様子（カウンター）をディスプレイ７０に表示させる。したがって、例えば、閾継続時間を、ＰＴＴ通信が自動的に終了されるまでの、全ての移動局が発言権を獲得していない状態の継続時間よりやや短い時間とすると、ＰＴＴ通信が自動的に終了される直前までの推定時間をユーザが視認できることとなり、ＰＴＴ通信の自動終了防止に有用となる。
【００７５】
また、制御部９０は、閾継続時間と；ＰＴＴボタン６０が解放され、かつ音声受信がない状態の継続時間と；の差が０となった際に、ＰＴＴサーバへのＲＴＣＰ（Floor Request）信号の送信を行わせ（図４のＳ４０７）、ＰＴＴサーバからのＲＴＣＰ（Floor Taken）信号を受信した後（不図示）、ＰＴＴサーバへのＲＴＣＰ（Floor Release）信号の送信を行わせる（図４のＳ４０９）前に、他の移動局への（ＰＴＴサーバを介して）、制御部９０内の不図示のメモリに記憶された音声データの送信を行わせることとしてもよい。
【００７６】
これによると、ユーザに負担を掛けずにＰＴＴ通信の自動終了防止を行うことができるのみならず、更に、ＰＴＴ通信を構成する他の移動局に、制御部９０内の不図示のメモリに記憶された音声データの送信によって通話を促すことなどができる。
【００７７】
また、制御部９０は、閾継続時間と；ＰＴＴボタン６０が解放され、かつ音声受信がない状態の継続時間と；の差が所定時間以下となった際に、それをユーザに認識させることとしてもよい。具体的には、制御部９０は、閾継続時間と；ＰＴＴボタン６０が解放され、かつ音声受信がない状態の継続時間と；の差が所定時間以下となった際に、音声処理部３０及びスピーカ４０に、制御部９０内の不図示のメモリに記憶された音声データの出力を行わせることなどが考えられる。
【００７８】
また、閾継続時間と；ＰＴＴボタン６０が解放され、かつ音声受信がない状態の継続時間と；の差が所定時間以下となったことをユーザに認識させる別の手段として、制御部９０は、閾継続時間と；ＰＴＴボタン６０が解放され、かつ音声受信がない状態の継続時間と；の差が所定時間以下となった際に、ディスプレイ７０の映像を点滅させたり、ディスプレイ７０に警告表示を行わせたり、移動局１を振動させたりすることなども考えられる。
【００７９】
これによると、例えば、閾継続時間を、ＰＴＴ通信が自動的に終了されるまでの、全ての移動局が発言権を獲得していない状態の継続時間よりやや短い時間とすると、ＰＴＴ通信を構成する全ての移動局が発言権を獲得していないと推定される状態の継続時間が、ＰＴＴ通信が自動的に終了されるまでの、全ての移動局が発言権を獲得していない状態の継続時間に迫っていることをユーザに認識させることができる。
【００８０】
なお、上記の第１の実施形態、第２の実施形態においては、移動局１のＦｌｏｏｒ権制御部９１が、ＰＴＴサーバへのＲＴＣＰ（Floor Request）信号の送信を行わせた際に（図３のＳ３０６、図４のＳ４０７）、他の移動局が発言権を獲得している状況は想定されていない。しかしながら、他の移動局が発言権を獲得しており、移動局１からの、ＰＴＴサーバへのＲＴＣＰ（Floor Request）信号の送信後に、ＰＴＴサーバからの、移動局１へのＲＴＣＰ（Floor Taken）信号の送信が行われない場合を考慮した構成とすることも可能である。
【００８１】
図５は、他の移動局が発言権を獲得しているかどうかを確認するステップを追加した、第１の実施形態に係る移動局１の制御部９０の制御手順を示すフローチャートである。なお、図５においては、図３と共通の部分には共通の符号を付して説明を省略する。
【００８２】
図５と図３とが異なる点は、Ｓ３０６において、Ｆｌｏｏｒ権制御部９１が、ＰＴＴサーバへのＲＴＣＰ（Floor Request）信号の送信を行わせた後に、ＲＴＣＰ（Floor Taken）信号の受信の有無を検出するステップＳ５０１が設けられている点である。
【００８３】
つまり、ここでの特徴は、Ｓ３０６において、Ｆｌｏｏｒ権制御部９１が、ＰＴＴサーバへのＲＴＣＰ（Floor Request）信号の送信を行わせた後に、Ｓ５０１において、ＲＴＣＰ（Floor Taken）信号の受信の有無を検出することで、他の移動局が発言権を獲得しているかどうかを検出することである。そして、他の移動局が発言権を獲得していない場合（Ｓ５０１でＹｅｓの場合）は、移動局１に発言権が与えられることとなり、制御部９０は、次に、ＰＴＴボタン６０の解放を監視する（Ｓ３０７）。
【００８４】
一方、他の移動局が発言権を獲得している場合（Ｓ５０１でＮｏの場合）は、移動局１に発言権が与えられないこととなり、また、他の移動局が発言権を獲得しているので、制御部９０は、次に、タイマ部９３のカウンターをリセットし（カウンターを閾継続時間に戻し）（Ｓ３０９）、カウントを開始させ（Ｓ３１０）、Ｓ３０３に戻る。
【００８５】
上記構成の移動局１によると、Ｆｌｏｏｒ権制御部９１が、ＰＴＴサーバへのＲＴＣＰ（Floor Request）信号の送信を行わせた際に（Ｓ３０６）、他の移動局が発言権を獲得している場合に対処でき、より実用的な移動局１となる。
【００８６】
図６は、他の移動局が発言権を獲得しているかどうかを確認するステップを追加した、第２の実施形態に係る移動局１の制御部９０の制御手順を示すフローチャートである。なお、図６においては、図４と共通の部分には共通の符号を付して説明を省略する。
【００８７】
図６と図４とが異なる点は、Ｓ４０７において、Ｆｌｏｏｒ権制御部９１が、ＰＴＴサーバへのＲＴＣＰ（Floor Request）信号の送信を行わせた後に、ＲＴＣＰ（Floor Taken）信号の受信の有無を検出するステップＳ６０１が設けられている点である。
【００８８】
つまり、ここでの特徴は、Ｓ４０７において、Ｆｌｏｏｒ権制御部９１が、ＰＴＴサーバへのＲＴＣＰ（Floor Request）信号の送信を行わせた後に、Ｓ６０１において、ＲＴＣＰ（Floor Taken）信号の受信の有無を検出することで、他の移動局が発言権を獲得しているかどうかを検出することである。そして、他の移動局が発言権を獲得していない場合（Ｓ６０１でＹｅｓの場合）は、移動局１に発言権が与えられることとなり、制御部９０は、次に、ＰＴＴボタン６０の解放を監視する（Ｓ４０８）。
【００８９】
一方、他の移動局が発言権を獲得している場合（Ｓ６０１でＮｏの場合）は、移動局１に発言権が与えられないこととなり、また、他の移動局が発言権を獲得しているので、制御部９０は、次に、タイマ部９３のカウンターをリセットし（カウンターを閾継続時間に戻し）（Ｓ４１０）、カウントを開始させ（Ｓ４１１）、Ｓ４０３に戻る。
【００９０】
上記構成の移動局１によると、Ｆｌｏｏｒ権制御部９１が、ＰＴＴサーバへのＲＴＣＰ（Floor Request）信号の送信を行わせた際に（Ｓ４０７）、他の移動局が発言権を獲得している場合に対処でき、より実用的な移動局１となる。
【００９１】
なお、本発明は上記の実施形態に限定されず、本発明の趣旨を逸脱しない範囲で、種々の変更が可能である。例えば、上記第１の実施形態においては、ＰＴＴボタン６０が解放された状態を、全ての移動局が発言権を獲得していないと推定される状態とし、上記第２の実施形態においては、ＰＴＴボタン６０が解放され、かつ音声受信がない状態を、全ての移動局が発言権を獲得していないと推定される状態とした。
【００９２】
しかしながら、ＰＴＴ通信を構成する移動局のうちの１つが発言権を獲得した際に、ＰＴＴ通信を構成する全ての移動局と、ＰＴＴサーバとの間でトラヒックチャネルが設定されることを利用して、このトラヒックチャネルが設定されていない状態を、全ての移動局が発言権を獲得していないと推定される状態とすることなども考えられる。
【００９３】
また、上記の実施形態においては、グループ通信はＰＴＴ通信であったが、本発明は、全ての移動局が発言権を獲得していない状態が所定の時間継続すると自動的に終了される、あらゆる種類のグループ通信に用いられる移動局、移動体通信システム及びプログラムとして有効である。
【産業上の利用可能性】
【００９４】
本発明は、ＰＴＴ通信などのグループ通信の際に用いられる移動局、移動体通信システム及びプログラムとして有効である。
【図面の簡単な説明】
【００９５】
【図１】本発明の実施形態に係る移動局１の概略の構成を示すブロック図。
【図２】ＰＴＴ通信の流れを示すシーケンス図。
【図３】第１の実施形態に係る移動局１の制御部９０の制御手順を示すフローチャート。
【図４】第２の実施形態に係る移動局１の制御部９０の制御手順を示すフローチャート。
【図５】他の移動局が発言権を獲得しているかどうかを確認するステップを追加した、第１の実施形態に係る移動局１の制御部９０の制御手順を示すフローチャート。
【図６】他の移動局が発言権を獲得しているかどうかを確認するステップを追加した、第２の実施形態に係る移動局１の制御部９０の制御手順を示すフローチャート。
【符号の説明】
【００９６】
１    移動局
６０    ＰＴＴボタン（発言権入力部）
７０    ディスプレイ（表示部）
８０    キー操作部（閾継続時間入力部）
９０    制御部
【図１】
2007306467.tif 000003
【図２】
2007306467.tif 000004
【図３】
2007306467.tif 000005
【図４】
2007306467.tif 000006
【図５】
2007306467.tif 000007
【図６】
2007306467.tif 000008